(57)【要約】【課題】トレッド部金型とサイド部金型との当接部附近での製品不良の発生を効果的に抑えた空気入りタイヤ、及び、それを製造する加硫成形装置を提供することを課題とする。【解決手段】加硫成形装置５０は、トレッド部を加硫するトレッド部金型５２と、加硫成形時にはトレッド部金型５２に当接してサイドウォール部１４を加硫するサイド部金型とを有する。サイド部金型は、上金型部５４Ｕと下金型部とで構成される。この加硫成形装置５０を用いて加硫成形した空気入りタイヤ１０のバットレス部２６には、先端が尖っていてタイヤ周方向に連続する１本の突起２８が形成されている。この突起２８は、トレッド部金型５２とサイド部金型との境界で成形される。トレッド部金型５２とサイド部金型との境界の金型形状は、金型内側から見て隙間が徐々に狭くなっている。従って、加硫成形装置５０を閉にする際、空気はこの境界からスムーズに排出される。【選択図】図２
2008213773.tif 000002
【特許請求の範囲】
【請求項１】
トレッド部の少なくとも一部を加硫するトレッド部金型と、加硫成形時には前記トレッド部金型に当接してサイドウォール部の少なくとも一部を加硫するサイド部金型と、を有する加硫成形装置で加硫成形された空気入りタイヤであって、
前記トレッド部金型と前記サイド部金型との境界で成形され、先端が尖っていてタイヤ周方向に連続する１本の突起が設けられていることを特徴とする空気入りタイヤ。
【請求項２】
タイヤ径方向断面では、前記突起のタイヤ径方向外側壁及びタイヤ径方向内側壁が、突起先端を通るとともにタイヤ外側に凹でタイヤ外面と接する円弧によってそれぞれ形成されていることを特徴とする請求項１記載の空気入りタイヤ。
【請求項３】
タイヤ周方向に延びる１本の溝が前記突起のタイヤ径方向外側に配置されており、
タイヤ径方向断面では、突起先端を通過する突起底面の法線と、前記溝の前記突起側の開口縁と、の距離が５〜２０ｍｍの範囲とされていることを特徴とする請求項１または２記載の空気入りタイヤ。
【請求項４】
前記サイド部金型が上金型部と下金型部とで構成されており、
前記上金型部と前記トレッド部金型との境界で成形された前記突起の高さが、前記下金型部と前記トレッド部金型との境界で成形された前記突起の高さよりも高いことを特徴とする請求項１から３のいずれか記載の空気入りタイヤ。
【請求項５】
請求項１に記載の空気入りタイヤを製造する際に用いる加硫成形装置であって、
トレッド部の少なくとも一部を加硫するトレッド部金型と、
加硫成形時には前記トレッド部金型に当接してサイドウォール部の少なくとも一部を加硫するサイド部金型と、を備え、
前記トレッド部金型と前記サイド部金型との境界では、金型内側から見て金型の隙間が徐々に狭くなっていることを特徴とする加硫成形装置。
【請求項６】
前記トレッド部金型には、前記隙間の容積に応じた体積を有するリング状の凸部が突設されていることを特徴とする請求項５に記載の加硫成形装置。
【発明の詳細な説明】
【技術分野】
【０００１】
本発明は、加硫成形された空気入りタイヤ、及び、それを製造する加硫成形装置に関する。
【背景技術】
【０００２】
タイヤはトロイダル状の複雑な形状である。このため、生タイヤを金型に入れて加硫を行なう際、金型をいくつかに分割したピースが設けられた加硫成形装置で、ピースが互いに噛み合って全体の形状を形作った上で熱と圧力が加えられる。
【０００３】
従来、このピース同士が噛み合うときに、ピース側壁面（金型の分割面）の間に生タイヤが挟まれることがある。これはピース同士の噛み合うタイミングや生タイヤを製品タイヤの寸法より小さくするなどの工夫がなされているにも拘わらず、生タイヤのゴムのゲージ分布のバラツキに起因するものや生タイヤが放置されている間に変形を生じ、予定された寸法、クリアランスを保てないことなどが原因とされている。
【０００４】
特にトレッド部分を成形するトレッド部金型（トレッドリング）とサイド部分を成形するサイド部金型（サイドリング）との当接部附近は、生タイヤが金型に最後に接触する部分であり、噛み込みやゴムはみ出し等の製品不良が最も多発する部分でもある。従来、これらの製品不良発生対策として、噛み込む部分にゴムの逃げ場を設けることが効果的とされている（例えば特許文献１参照）。
【０００５】
しかし、これらの製品不良の発生をより効果的に抑えることができれば更に好ましい。
【特許文献１】特開平１０−７６５２７号公報
【発明の開示】
【発明が解決しようとする課題】
【０００６】
本発明は、上記事実を考慮して、トレッド部金型とサイド部金型との当接部附近での製品不良の発生を効果的に抑えた空気入りタイヤ、及び、それを製造する加硫成形装置を提供することを課題とする。
【課題を解決するための手段】
【０００７】
生タイヤは季節やゴムの押出しマシンなどによってゲージが僅かに変動するいわゆるバラツキが生じる。また、加硫前のゴムは柔らかいため、生タイヤ組立て後であっても生タイヤ保管方法や工程内での移送方法によっては生タイヤに変形が生じ易い。
【０００８】
このことを踏まえ、本発明者は、むしろ加硫される前の生タイヤの状態が多少変動してもその影響が製品に出難いようにするためにはどうすれば良いのかについて検討を行なった。そして、実験を重ね、更に検討を行い、本発明を完成するに至った。
【０００９】
請求項１に記載の発明は、トレッド部の少なくとも一部を加硫するトレッド部金型と、加硫成形時には前記トレッド部金型に当接してサイドウォール部の少なくとも一部を加硫するサイド部金型と、を有する加硫成形装置で加硫成形された空気入りタイヤであって、前記トレッド部金型と前記サイド部金型との境界で成形され、先端が尖っていてタイヤ周方向に連続する１本の突起が設けられていることを特徴とする。
【００１０】
生タイヤが加硫される時、タイヤ内部のブラダーが膨らみ、生タイヤは金型に押し付けられながらブラダー側と金型側から熱を与えられる。その際、生タイヤと金型とが最後に接触する部分はタイヤバットレス部分である。このタイヤバットレス部分を成形する金型部分に金型の分割が位置していることで、すなわちトレッド部金型とサイド部金型との境界が位置していることで、生タイヤと金型との間の空気が分割の隙間から排出される。
【００１１】
一方、請求項１に記載の発明では、トレッド部金型とサイド部金型との境界によって形成されるタイヤ部分に、先端が尖っていてタイヤ周方向に連続する１本の突起が設けられている。よって、この突起を設けることができるように、トレッド部金型とサイド部金型との境界の金型形状は、金型内側（生タイヤ側）から見て隙間が徐々に狭くなっている。従って、加硫成形装置を閉にする際、空気はこの境界からスムーズに排出され、空気が金型内に残り難い。従って、トレッド部金型とサイド部金型との当接部附近での製品不良の発生を効果的に抑えた空気入りタイヤとすることができる。
【００１２】
請求項２に記載の発明は、タイヤ径方向断面では、前記突起のタイヤ径方向外側壁及びタイヤ径方向内側壁が、突起先端を通るとともにタイヤ外側に凹でタイヤ外面と接する円弧によってそれぞれ形成されていることを特徴とする。
【００１３】
生タイヤと金型とが最後に接触するタイヤバットレス部分では、加硫時に、空気の排出と共に生タイヤ表面部のゴムも流動する。請求項２に記載の発明では、突起の形状は裾野部がこのように徐々に広がる略三角形状とされている。このような形状とすることで、ゴムの流れも排出される空気の流れもよりスムーズになる。また、略三角形状の頂点が鋭角部を形成することにより、空気排出残りが生じ難く、残った場合でも目立ち難くなり、タイヤ表面がざらついたベアという製品不良が生じ難い。
【００１４】
請求項３に記載の発明は、タイヤ周方向に延びる１本の溝が前記突起のタイヤ径方向外側に配置されており、タイヤ径方向断面では、突起先端を通過する突起底面の法線と、前記溝の前記突起側の開口縁と、の距離が５〜２０ｍｍの範囲とされていることを特徴とする。
【００１５】
このような溝を形成するためには、この溝に対応する凸部を金型に形成することになる。従って、加硫時にタイヤ表面のゴムがこの凸部によって押されることとなる。この押されたゴムの一部がトレッド部金型とサイド部金型との境界に流れ込み、ゴムとともにより効果的な空気の排出がなされる。
【００１６】
上記の距離が５ｍｍよりも小さいとゴムの逃げるスペースが充分ではなく、２０ｍｍよりも大きいとゴム流動に伴う空気排出の効果があまり高くない。
【００１７】
ところで、従来では、加硫成形装置の金型同士で生タイヤを挟み込むことによる製品不良の発生率は、金型の上部のほうが金型の下部よりも高い。本発明者はこの原因について鋭意検討した。そして、バットレス部における生タイヤと金型との接触タイミングが、金型の下部に比べて金型の上部では遅れるためであることを突き止めた。
【００１８】
そこで、請求項４に記載の発明は、前記サイド部金型が上金型部と下金型部とで構成されており、前記上金型部と前記トレッド部金型との境界で成形された前記突起の高さが、前記下金型部と前記トレッド部金型との境界で成形された前記突起の高さよりも高いことを特徴とする。
【００１９】
突起高さをこのように成形する加硫成形装置を用いる場合、上金型部とトレッド部金型との境界では、下金型部とレッド部金型との境界に比べ、ゴムの逃げる体積をより確保した装置を用いることになる。従って、請求項４に記載の発明により、製品不良の発生を更に抑制した空気入りタイヤとすることができる。
【００２０】
請求項５に記載の発明は、請求項１に記載の空気入りタイヤを製造する際に用いる加硫成形装置であって、トレッド部の少なくとも一部を加硫するトレッド部金型と、加硫成形時には前記トレッド部金型に当接してサイドウォール部の少なくとも一部を加硫するサイド部金型と、を備え、前記トレッド部金型と前記サイド部金型との境界では、金型内側から見て金型の隙間が徐々に狭くなっていることを特徴とする。
【００２１】
これにより、加硫成形装置を閉にする際、空気はこの境界からスムーズに排出され、空気が金型内に残り難い。
【００２２】
請求項６に記載の発明は、前記トレッド部金型には、前記隙間の容積に応じた体積を有するリング状の凸部が突設されていることを特徴とする。
【００２３】
請求項６に記載の発明では、加硫時にタイヤ表面のゴムがこの凸部によって押される。この押されたゴムの一部がトレッド部金型とサイド部金型との境界に流れ込み、これにより、ゴムとともにより空気を金型内から効果的に排出することができる。
【発明の効果】
【００２４】
本発明によれば、トレッド部金型とサイド部金型との当接部附近での製品不良の発生を効果的に抑えた空気入りタイヤ、及び、それを製造する加硫成形装置を実現させることができる。
【発明を実施するための最良の形態】
【００２５】
以下、実施形態を挙げ、本発明の実施の形態について説明する。なお、第２実施形態以下では、既に説明した構成要素と同様のものには同じ符号を付して、その説明を省略する。
【００２６】
［第１実施形態］
まず、第１実施形態について説明する。図１、図２に示すように、本実施形態に係る加硫成形装置５０で加硫成形することによって本実施形態に係る空気入りタイヤ１０が製造される。
【００２７】
本実施形態では、空気入りタイヤ１０は、両端部がそれぞれビードコア１１で折り返されたカーカス１６と、ビードコア１１を有するビード部１２と、ビード部１２のタイヤ径方向外側のサイドウォール部１４と、カーカス１６のクラウン部１６Ｃのタイヤ径方向外側のベルト層１８と、ベルト層１８のタイヤ径方向外側に設けられて主溝２２及び横溝（図示せず）が配設されたトレッド部２０と、サイドウォール部１４とトレッド部２０との間を形成しているバットレス部２６と、を備えている。
【００２８】
加硫成形装置５０は、トレッド部２０を加硫するトレッド部金型（トレッドリング）５２と、サイドウォール部１４からビード部１２の一部までを加硫するサイド部金型（サイドリング）５４と、ビード部１２の残り部分を加硫するビード部金型（ビードリング）５６と、を備えている。成形時には、トレッド部金型５２とサイド部金型５４とが互いに当接するとともに、サイド部金型５４とビード部金型５６とが互いに当接する構成にされている。また、トレッド部金型５２及びサイド部金型５４によってバットレス部２６が成形される構成にされている。
【００２９】
また、加硫成形装置５０は生タイヤを横置きにして加硫する装置とされており、サイド部金型５４が上金型部５４Ｕと下金型部５４Ｌとで構成されている。
【００３０】
（突起）
図２、図３に示すように、バットレス部２６には、トレッド部金型５２と上金型部５４Ｕとの境界５３Ｕで成形されたタイヤ部分に、先端が尖っていてタイヤ周方向に連続する１本の断面略三角形状の突起２８が形成されている。また、図２、図４に示すように、トレッド部金型５２と下金型部５４Ｌとの境界５３Ｌで成形されたタイヤ部分にも、突起２８と同形状の突起３２が形成されている。なお、突起２８と突起３２とはタイヤ赤道面ＣＬを挟んで対称形状とされている。
【００３１】
本実施形態では、空気入りタイヤ１０と、突起２８、３２を成形する加硫成形装置５０の金型部分とは、何れもタイヤ赤道面ＣＬで面対称となっているので、以下の説明では加硫成形装置５０及びこれで加硫成形された空気入りタイヤ１０の上半分（図１、図２参照）のみを説明し、下半分の説明を省略する。
【００３２】
空気入りタイヤ１０に突起２８を形成することができるように、トレッド部金型５２と上金型部５４Ｕとの境界５３Ｕでは、金型内側（生タイヤ側）から見て金型の隙間が徐々に狭くなっている。本実施形態では、トレッド部金型５２には金型内側に対して滑らかに膨らむ湾曲凸面部５２Ｐが形成され、サイド部金型５４にも金型内側に対して滑らかに膨らむ湾曲凸面部５４Ｐが形成されている。そして、トレッド部金型５２には、湾曲凸面部５２Ｐに連続して金型内から遠ざかるほうへ広がる当接面部５２Ｓが形成され、サイド部金型５４にも、湾曲凸面部５４Ｐに連続して金型内から遠ざかるほうへ広がる当接面部５４Ｓが形成されている。金型を閉じたとき、すなわち加硫成形装置５０を閉にしたときには、当接面部５２Ｓと当接面部５４Ｓとが面接触するようになっている。
【００３３】
突起２８のタイヤ径方向外側面は、突起先端２８Ｔを通るとともにタイヤ外側に凹でタイヤ外面２７Ｅと接する湾曲凹面２８Ｅとされている。そして、突起２８のタイヤ径方向内側面も、突起先端２８Ｔを通るとともにタイヤ外側に凹でタイヤ外面２７Ｉと接する湾曲凹面２８Ｉとされている。
【００３４】
従って、図３に示すように、タイヤ径方向断面では、突起２８のタイヤ径方向外側は、突起先端２８Ｔを通るとともにタイヤ外側に凹でタイヤ外面２７Ｅと接する円弧３０Ｅによって形成されている。なお、円弧３０Ｅはいわゆる逆Ｒの円弧である。円弧３０Ｅはタイヤ外面２７Ｅに接しているので、円弧３０Ｅとタイヤ外面２７Ｅとの接続部には角部が形成されていない。
【００３５】
同様に、突起２８のタイヤ径方向内側は、突起先端２８Ｔを通るとともにタイヤ外側に凹でタイヤ外面２７Ｉと接する円弧３０Ｉによって形成されている。円弧３０Ｅと同様、円弧３０Ｉはタイヤ外面２７Ｉに接しているので、円弧３０Ｉとタイヤ外面２７Ｉとの接続部には角部が形成されていない。
【００３６】
（周方向溝）
また、タイヤ径方向断面では、タイヤ周方向に延びる１本の周方向溝３６が突起２８のタイヤ径方向外側に配置されている。従って、このような周方向溝３６を形成できるように、トレッド部金型５２には、金型内に突出するリング状の凸部５２Ｔが突設されている。
【００３７】
そして、図５に示すように、タイヤ径方向断面では、突起先端２８Ｔを通過する突起底面２８Ｂの法線２８Ｖと、周方向溝３６の突起２８側の開口縁３６Ｍと、の距離Ｄが５〜２０ｍｍの範囲とされている。なお、本実施形態では、周方向溝３６の溝深さＧは１ｍｍ程度とされている。
【００３８】
（作用、効果）
以下、本実施形態の作用、効果について説明する。
【００３９】
加硫成形する際、加硫成形装置５０を開にして、生タイヤを下金型部５４Ｌに横置きで載置する。載置後、加硫成形装置５０を閉にする。
【００４０】
更に、加硫成形装置５０では、生タイヤ内部からブラダー５１（図１参照）を膨らますことにより、生タイヤを金型内壁に押し付けながらブラダー側と金型側から生タイヤに熱を加える。ここで、生タイヤと金型とが最後に接触する部分はバットレス部２６である。このタイヤバットレス部２６を成形する金型部分にトレッド部金型５２とサイド部金型５４との境界５３Ｕ、５３Ｌが位置しているので、加硫成形装置５０を閉にする際、生タイヤと金型との間の空気がこの境界５３Ｕ、５３Ｌから排出される。そして、この境界５３Ｕ、５３Ｌには、トレッド部金型５２の湾曲凸面部５２Ｐとサイド部金型５４の湾曲凸面部５４Ｐとが位置しており、湾曲凸面部５２Ｐ、５４Ｐによって形成される金型空間（隙間）は金型内側（生タイヤ側）から見て徐々に狭くなっている。従って、加硫時において、金型内の空気はこの境界５３Ｕ、５３Ｌからスムーズに排出され、空気が金型内に残り難い。よって、空気入りタイヤ１０を製造する際、トレッド部金型５２とサイド部金型５４との当接部附近での製品不良の発生を効果的に抑えることができる。
【００４１】
また、突起２８のタイヤ径方向外側面に湾曲凹面２８Ｅが形成され、突起２８のタイヤ径方向内側面にも湾曲凹面２８Ｉが形成されているので、突起２８の形状は裾野部が滑らかに徐々に広がる略三角形状とされている。これにより、加硫成形装置５０を閉にする際に、ゴムの流れも排出される空気の流れもよりスムーズになる。また、突起先端２８Ｔが断面鋭角状であるため、空気排出残りが生じ難く、残った場合でも目立ち難くなり、タイヤ表面がざらついたベアという製品不良が生じ難い。
【００４２】
また、トレッド部金型５２にはリング状の凸部５２Ｔが形成されている。従って、加硫成形装置５０を閉にする際にタイヤ表面のゴムがこの凸部５２Ｔによって押される。この押されたゴムの一部がトレッド部金型５２とサイド部金型５４との境界５３Ｕ、５３Ｌに流れ込み、ゴムとともに金型内の空気をより効果的に排出することができる。そして、図３にも示したように、距離Ｄが５〜２０ｍｍの範囲とされているので、ゴムの逃げるスペースが充分であるとともに、ゴムの流動に伴う空気の排出の効果が顕著となる。
【００４３】
［第２実施形態］
次に、第２実施形態について説明する。図６、図７に示すように、本実施形態に係る空気入りタイヤ７０では、第１実施形態に比べ、突起２８（図３参照）に代えて、高さがより高い突起７８が形成されている。なお、タイヤ赤道面ＣＬよりも下半分側には、図８に示すように、第１実施形態で説明したように突起３２が形成されている。
【００４４】
このような突起７８が形成されるように、上金型部５４Ｕ及びトレッド部金型５２に代えて上金型部８４Ｕ及びトレッド部金型８２が設けられた加硫成形装置９０が用いられる。この加硫成形装置９０を用いることにより、上金型部８４Ｕとトレッド部金型８２との境界８３Ｕで成形された突起７８の高さＨＵ（図７参照）が、下金型部５４Ｌとトレッド部金型８２との境界５３Ｌで成形された突起３２の高さＨＬ（図８参照）よりも高い。なお、これに合わせて、周方向溝３６に代えて周方向溝７６（図６、図７参照）が設けられ、凸部５２Ｔに代えて凸部７２Ｔ（図６参照）が設けられている。周方向溝７６及び凸部７２Ｔは、それぞれ、周方向溝３６及び凸部５２Ｔに比べて寸法が変更されている。
【００４５】
本実施形態では、突起７８の高さＨＵをこのように成形する加硫成形装置９０を用いるので、上金型部８４Ｕとトレッド部金型８２との境界８３Ｕでは、下金型部５４Ｌ（図１参照）とトレッド部金型８２との境界に比べ、ゴムの逃げる体積をより確保している。従って、製品不良の発生を更に抑制した空気入りタイヤ７０とすることができる。
【００４６】
＜試験例＞
本発明の効果を確かめるために、本発明者は、第１実施形態の空気入りタイヤ１０の一例（以下、実施例１のタイヤという）、第２実施形態の空気入りタイヤ７０の一例（以下、実施例２のタイヤという）、及び、従来例の空気入りラジアルタイヤの一例（以下、従来例のタイヤという）の試作を行い、噛み込み不良の発生率を比較した。
【００４７】
ここで、実施例１のタイヤを製造する加硫成形装置としては、１９５／６５Ｒ１５サイズの空気入りタイヤを製造する従来の加硫成形装置で、上金型部、下金型部、及びトレッド部金型にそれぞれ切削加工を施して上金型部５４Ｕ、下金型部５４Ｌ、及びトレッド部金型５２とした、第１実施形態の加硫成形装置５０の一例を用いた。実施例２のタイヤを製造する加硫成形装置としては、同様に、１９５／６５Ｒ１５サイズの空気入りタイヤを製造する従来の加硫成形装置で、上金型部、下金型部、及びトレッド部金型に切削加工をそれぞれ施して上金型部８４Ｕ、下金型部５４Ｌ、及びトレッド部金型８２とした、第２実施形態の加硫成形装置９０の一例を用いた。図９に示すように、従来例のタイヤを製造する加硫成形装置１００としては、サイド部金型（図９に示す上金型部１０４Ｕ）とトレッド部金型１０２との境界１０３には、それぞれ、丸められていない角部１０５Ｕ及び角部１０１が形成されている従来の加硫成形装置を用いた。
【００４８】
本試験例では、実施例１のタイヤ、実施例２のタイヤ、及び、従来例のタイヤについて、それぞれ９０００本の試作を行った。なお、本試験例では、タイヤサイズは全て １９５／６５Ｒ１５ である。
【００４９】
そして、試作した各タイヤで噛み込み不良が発生しているか否かを調べ、実施例１のタイヤ、実施例２のタイヤ、及び、従来例のタイヤについて、噛み込み不良の発生率をそれぞれ算出した。算出結果を表１に示す。
【００５０】
表１から判るように、従来例のタイヤに比べ、実施例１のタイヤでは噛み込み不良の発生率が大幅に低くなっており、実施例２のタイヤでは更に低くなっていた。
【００５１】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【００５２】
【図１】第１実施形態に係る空気入りタイヤを製造する加硫成形装置の側面断面図である。
【図２】第１実施形態に係る空気入りタイヤを製造する加硫成形装置の部分側面断面図である。
【図３】第１実施形態に係る空気入りタイヤを製造する加硫成形装置で、突起を成形する金型部分を示す側面断面図である。
【図４】第１実施形態に係る空気入りタイヤを製造する加硫成形装置で、突起を成形する金型部分を示す側面断面図である。
【図５】第１実施形態に係る空気入りタイヤに形成された突起の寸法を説明する説明図である。
【図６】第２実施形態に係る空気入りタイヤを製造する加硫成形装置の部分側面断面図である。
【図７】第２実施形態に係る空気入りタイヤに形成された突起の寸法を説明する説明図である。
【図８】第２実施形態に係る空気入りタイヤに形成された突起の寸法を説明する説明図である。
【図９】試験例で用いた従来例のタイヤを製造する加硫成形装置の要部を示す側面断面図である。
【符号の説明】
【００５３】
５０        加硫成形装置
１０        空気入りタイヤ
１４        サイドウォール部
２０        トレッド部
２７Ｉ、Ｅ  タイヤ外面
２８        突起
２８Ｂ      突起底面
２８Ｔ      突起先端
２８Ｖ      法線
３０Ｉ、Ｅ  円弧
３２        突起
３６        周方向溝（溝）
３６Ｍ      開口縁
５２        トレッド部金型
５２Ｔ      凸部
５３Ｕ      境界
５３Ｌ      境界
５４        サイド部金型
５４Ｕ      上金型部
５４Ｌ      下金型部
７０        空気入りタイヤ
７２Ｔ      凸部
７６        周方向溝
７８        突起
８２        トレッド部金型
８３Ｕ      境界
８４Ｕ      上金型部
９０        加硫成形装置
１００      加硫成形装置
１０２      トレッド部金型
１０３      境界
１０４Ｕ    上金型部
Ｄ          距離
ＨＵ        高さ
ＨＬ        高さ
【図１】
2008213773.tif 000003
【図２】
2008213773.tif 000004
【図３】
2008213773.tif 000005
【図４】
2008213773.tif 000006
【図５】
2008213773.tif 000007
【図６】
2008213773.tif 000008
【図７】
2008213773.tif 000009
【図８】
2008213773.tif 000010
【図９】
2008213773.tif 000011